(57)【要約】【課題】何度も同様の操作を繰り返す必要がなく、オペレータに負荷がかからない移管先口座情報照会方法を得る。【解決手段】顧客の口座詳細情報を、演算手段がサーバに照会する第１の照会ステップと、  サーバが、サーバ記憶手段に格納されている口座詳細情報を、演算手段に返信するステップと、  口座詳細情報を、演算手段が画面表示する第１の画面表示ステップと、  当該口座の移管先口座を特定する書誌的情報を、演算手段がサーバに照会する第２の照会ステップと、  書誌的情報を、サーバが演算手段に返信するステップと、  書誌的情報を、演算手段が画面表示する第２の画面表示ステップと、  第１の照会ステップで照会した口座の移管元もしくは移管先口座をサーバに照会する第３の照会ステップを演算手段に実行させるためのボタンを、演算手段が画面表示する第３の画面表示ステップを有することを特徴とする。【選択図】図１
2007249282.tif 000002
【特許請求の範囲】
【請求項１】
顧客の口座情報を、演算手段がサーバに照会する第１の照会ステップと、
前記サーバが、サーバ記憶手段が格納している前記口座情報を、前記演算手段に返信するステップと、
前記口座情報を、前記演算手段が画面表示する第１の画面表示ステップと、
当該口座の移管先口座を特定する移管先口座情報を、前記演算手段が前記サーバに照会する第２の照会ステップと、
前記移管先口座情報を、前記サーバが前記演算手段に返信するステップと、
前記移管先口座情報を、移管元もしくは次の移管先口座を前記サーバに照会する第３の照会ステップを前記演算手段に実行させるためのボタンとともに、前記演算手段が画面表示する第２の画面表示ステップとを有することを特徴とする移管先口座情報照会方法。
【請求項２】
前記サーバ記憶手段は、口座移管履歴情報を格納しており、
前記第２の画面表示ステップにおいては、
前記第１の照会ステップで照会した口座の移管元口座を前記サーバに照会するステップを前記演算手段に実行させるための移管元ボタンと、
前記第１の照会ステップで照会した口座の次の移管先口座を前記サーバに照会するステップを前記演算手段に実行させるための次移管先ボタンと、
前記第１の照会ステップで照会した口座の最終移管先口座を前記サーバに照会するステップを前記演算手段に実行させるための最終移管先ボタンと、
前記第１の照会ステップで照会した口座を再度前記サーバに照会するステップを前記演算手段に実行させるための元口座ボタンを、前記演算手段が画面表示することを特徴とする請求項１に記載の移管先口座情報照会方法。
【請求項３】
前記移管元ボタンが押下され、前記演算手段が前記第１の照会ステップで照会した口座の移管元口座を前記サーバに照会するステップを実行した際には、
前記サーバは、
最初の移管元の口座に達するまで、移管前の口座情報を取得するステップを繰り返し実行し、
最初の移管元の口座に達すると、当該口座情報を前記演算手段に返信することを特徴とする請求項２に記載の移管先口座情報照会方法。
【請求項４】
前記最終移管先ボタンが押下され、前記演算手段が前記第１の照会ステップで照会した口座の最終移管先口座を前記サーバに照会するステップを実行した際には、
前記サーバは、
最終移管先の口座に達するまで、移管後の口座情報を取得するステップを繰り返し実行し、
最終移管先の口座に達すると、当該口座情報を前記演算手段に返信することを特徴とする請求項２ないし請求項３のいずれかに記載の移管先口座情報照会方法。
【請求項５】
前記第２の画面表示ステップにおいては、
前記第１の照会ステップで照会した口座の前記移管履歴情報を前記サーバに照会するステップを前記演算手段に実行させるための移管履歴ボタンを、前記演算手段が画面表示することを特徴とする請求項１ないし請求項４のいずれかに記載の移管先口座情報照会方法。
【請求項６】
前記移管履歴ボタンが押下された際には、
前記演算手段は、
前記第１の照会ステップで照会した口座の移管前の口座情報を前記サーバに照会するステップを、最初の移管元の口座に達するまで実行し、
前記第１の照会ステップで照会した口座の移管後の口座情報を前記サーバに照会するステップを、最終移管先の口座に達するまで実行することを特徴とする請求項５に記載の移管先口座情報照会方法。
【請求項７】
請求項１ないし請求項６のいずれかに記載の演算手段の処理をコンピュータに実行させることを特徴とする移管先口座情報照会プログラム。
【請求項８】
請求項１ないし請求項６のいずれかに記載の演算手段の処理を実行するプログラムを格納したクライアント端末と、
請求項１ないし請求項６のいずれかに記載のサーバとを有し、
前記クライアント端末と前記サーバはネットワークにより接続されたことを特徴とする移管先口座情報照会システム。
【発明の詳細な説明】
【技術分野】
【０００１】
本発明は、移管先口座情報照会方法、移管先口座情報照会プログラム及び移管先口座情報照会システムに関するものである。
【背景技術】
【０００２】
従来、『銀行等金融業務の店舗移管合体処理におけるデータベースに保有する口座番号の洗替え方法及び方式』として知られている技術には、『店舗移管合体処理の変更前の渡店の口座情報と変更された後の受店の口座情報を対応させて格納した対比ファイルの渡店の口座情報により口座情報を格納するデータベースに存在する渡店の口座情報のレコードを抽出し、抽出されたレコードにより、前記対比ファイルに格納されている渡店の口座情報 、受店の口座情報 、及び該レコードの検索情報を、洗替投入データファイルとして作成し、洗替投入データファイルのデータを一括して読み込み、各データの洗替対象口座情報のレコード格納位置を示す検索情報からレコードを検索し前記データベースの渡店の口座番号から受店の口座番号に書き替える。』というものが提案されている（特許文献１）。
【特許文献１】特開平１１−１８４９５７号公報（発明の名称、要約）
【発明の開示】
【発明が解決しようとする課題】
【０００３】
近年、金融機関では、店舗統廃合などが頻繁に行われており大量に移管処理が発生している。移管前に取引されていた帳票には、移管前の口座番号が記載されているため、移管前の口座情報「店番・科目・口座番号・（枝番）」を入力して照会可能であるが、取引としては、移管先の最新の登録イメージと照合する必要があるため、移管先口座を検索した後に、再び移管先の「店舗番号・科目・口座番号（・枝番）」を入力して、再度照会する必要があった。
【０００４】
しかしながら、上記方法では、移管先の口座を照会するためには、移管先の口座情報である「店番・科目・口座番号（・枝番）」を改めて入力する必要があり、該当口座が複数回移管を行っていれば、何度も同様の操作を繰り返す必要があるため、オペレータに負荷がかかるという課題があった。
そこで、何度も同様の操作を繰り返す必要がなく、オペレータに負荷がかからない移管先口座情報照会方法が望まれていた。
【課題を解決するための手段】
【０００５】
本発明に係る移管先口座情報照会方法は、
顧客の口座情報を、演算手段がサーバに照会する第１の照会ステップと、
前記サーバが、サーバ記憶手段が格納している前記口座情報を、前記演算手段に返信するステップと、
前記口座情報を、前記演算手段が画面表示する第１の画面表示ステップと、
当該口座の移管先口座を特定する移管先口座情報を、前記演算手段が前記サーバに照会する第２の照会ステップと、
前記移管先口座情報を、前記サーバが前記演算手段に返信するステップと、
前記移管先口座情報を、移管元もしくは次の移管先口座を前記サーバに照会する第３の照会ステップを前記演算手段に実行させるためのボタンとともに、前記演算手段が画面表示する第２の画面表示ステップとを有することを特徴とするものである。
【発明の効果】
【０００６】
本発明によれば、ボタンを押下するのみで移管先や移管元の口座、あるいは最終移管先の口座を照会できるので、複数回の移管が行われている口座を照会するような場合に、オペレータの操作回数が減少し、顧客の待ち時間等を短縮できるという効果が得られる。
【発明を実施するための最良の形態】
【０００７】
実施の形態１．
図１は、本発明の実施の形態１に係る移管先口座情報照会方法を実現するための移管先口座情報照会システムの全体構成図である。
照会端末２０１は、口座情報を照会するための端末であり、演算手段２１０、表示手段２１１、入力手段２１２、記憶手段２１３を有する。
口座サーバ２０２は、照会端末２０１からの照会リクエストを受け付け、口座情報を返信するものであり、記憶手段２０３を有する。
記憶手段２０３は、口座情報テーブル２０７と口座移管履歴テーブル２０８を格納している。
照会端末２０１と口座サーバ２０２は、ネットワーク２０４を介して接続されている。
【０００８】
図２は、照会端末２０１が口座サーバ２０２に口座情報を照会する際の基本的なシーケンスを説明するものである。画面構成や詳細なフローについては、図３〜図１２で述べる。
（１）照会端末２０１のオペレータは、照会する口座の「店舗番号」「科目（普通／当座等）」「口座番号」を、入力手段入力２１２を用いて入力する。また、必要に応じて「枝番」も入力する。
演算手段２１０は、口座サーバ２０２に、入力された口座の情報を照会する。
（２）口座サーバ２０２は、演算手段２１０が照会する口座に該当する口座情報を、口座明細テーブル２０７より取得し、照会端末２０１に返信する。
（３）演算手段２１０は、口座サーバ２０２が返信した口座情報を、表示手段２１１に表示する。
（４）照会端末２０１のオペレータは、表示手段２１１に表示されているボタンを押下して、移管元の口座や移管先の口座を照会する旨を演算手段２１０に伝える。
演算手段２１０は、口座サーバ２０２に、押下されたボタンに相当する口座の情報を照会する。
なお、本発明においては、マウスクリックによるボタンの選択等も含めて「押下」と表現することにする。
（５）口座サーバ２０２は、ステップ（４）で押下されたボタンの種類に応じて、口座明細テーブル２０７及び口座移管履歴テーブル２０８を検索し、該当する口座情報を取得する。次に、取得した口座情報を照会端末２０１に返信する。
（６）演算手段２１０は、口座サーバ２０２が返信した口座情報を、表示手段２１１に表示する。
なお、最初に入力した「店舗番号」「科目」「口座番号」は、元口座情報として記憶手段に記憶される。
【０００９】
図３は、図２のステップ（１）において、照会端末２０１のオペレータが紹介する口座の「店舗番号」「科目」「口座番号」を入力する際の、表示手段２１１の画面イメージを示すものである。
図３に示すように、照会端末２０１のオペレータは、照会する口座の「店舗番号」「科目（普通／当座等）」「口座番号」を入力するまでは、移管元の口座や移管先の口座を照会する機能を利用することはできない。
【００１０】
ここで、処理フローの説明に入る前に、口座明細テーブル２０７及び口座移管履歴テーブル２０８の構成及びデータ例について説明する。
【００１１】
図４は、口座明細テーブル２０７の構成及びデータ例を説明するものである。以下、各列について説明する。
「口座番号」は、顧客の口座の口座番号そのものであり、照会端末２０１のオペレータが図３の画面で入力するものと同一の内容のものである。
「店番」は、顧客の口座を有している店舗番号のことであり、照会端末２０１のオペレータが図３の画面で入力するものと同一の内容のものである。
「科目」は、顧客の口座の口座種別（普通預金口座／当座預金口座）のことであり、照会端末２０１のオペレータが図３の画面で入力するものと同一の内容のものである。
「氏名」は、口座保有者の氏名である。
「開始日」は、顧客の当該口座の開設日を西暦年月日で示すものである。
「終了日」は、顧客の当該口座の閉鎖日を西暦年月日で示すものであり、現在利用されている口座については、空文字列（ＮＵＬＬ）が設定されている。
【００１２】
図５は、口座移管履歴テーブル２０８の構成及びデータ例を説明するものである。以下、各列について説明する。
「口座番号」は、顧客の口座の口座番号であり、照会端末２０１のオペレータが図３の画面で入力するものや、口座明細テーブル２０７の同列の値と同一の内容のものである。
「移管元口座」は、当該口座の移管前の口座番号を示すものである。したがって、最初に開設された口座については、空文字列（ＮＵＬＬ）が設定されている。
「移管先口座」は、当該口座の移管後の口座番号を示すものである。したがって、現在利用されている口座については、空文字列（ＮＵＬＬ）が設定されている。
【００１３】
図６は、図２のステップ（１）〜ステップ（３）の詳細処理を説明するものである。なお、口座サーバ２０２の図示は省略している。
（Ｓ６０１）図２のステップ（１）に該当する処理である。ここでは、照会端末２０１のオペレータが、口座番号「１−１−１−１」を入力したものと仮定する。
（Ｓ６０２）演算手段２１０は、口座サーバ２０２に、口座番号「１−１−１−１」に該当する口座情報を照会する。口座サーバ２０２は、口座明細テーブル２０７に、口座番号「１−１−１−１」に該当する口座の口座情報を照会し、照会端末２０１に返信する。
（Ｓ６０３）図２のステップ（２）に該当する処理である。演算手段２１０は、口座サーバ２０２が返信した口座番号「１−１−１−１」に該当する口座情報を取得する。
（Ｓ６０４）演算手段２１０は、口座サーバ２０２に、口座番号「１−１−１−１」の移管先口座を照会する。
（Ｓ６０５）口座サーバ２０２は、口座移管履歴テーブル２０８を検索し、口座番号「１−１−１−１」の移管先口座を取得する。次に、取得した口座番号を照会端末２０１に返信する。ここでは、口座番号「２−１−１−１」を返信している。
（Ｓ６０６）演算手段２１０は、以上の処理の結果を、表示手段２１１に表示する。具体的には、口座番号「１−１−１−１」の口座情報、口座番号「２−１−１−１」、及び各種ボタンが表示される。各種ボタンの内容は、図７で説明する。
【００１４】
図７は、図６のステップＳ６０６で表示手段２１１に表示される画面イメージを説明するものである。
口座明細テーブル２０７から取得したデータは、「口座情報」欄に表示されている。
また、「移管先口座情報」欄には、ステップＳ６０４で取得した口座番号「２−１−１−１」に関する情報が表示されている。なお、図６においては図示していないが、ステップＳ６０４において、口座番号「２−１−１−１」の書誌的情報（例えば口座番号や店番）のみでなく、詳細情報を取得してもよい。
【００１５】
図７の下部に表示されている各種ボタンについて説明する。
「移管元」ボタンは、照会中の口座に対して移管元の口座情報の表示を行いたい場合に押下するものである。
「次移管先」ボタンは、照会中の口座に対して次の移管先の口座情報の表示を行いたい場合に押下するものである。
「最終移管先」ボタンは、照会中の口座に対して最終移管先の口座情報の表示を行いたい場合に押下するものである。
「元口座」ボタンは、最初に照会を行った口座情報（図２のステップ（１）で入力した口座番号）の表示を行いたい場合に押下するものである。
【００１６】
図７に示す口座番号「１−１−１−１」の口座は、移管元口座が「ＮＵＬＬ」である、即ち最初に開設された口座であるため、「移管元」ボタンは押下不可としている。同様に「元口座」ボタンは、初回の照会であるため押下しても意味がないので、押下不可としている。
なお、図７の「残高明細」欄等のように、さらに別のテーブル（図示せず）を照会して、より詳細な口座情報を表示してもよい。
【００１７】
図８は、図７の画面状態で「次移管先」ボタンを押下した際の処理フローを説明するものである。なお、口座サーバ２０２の図示は省略している。
（Ｓ８０１）演算手段２１０は、口座番号「１−１−１−１」をキーにして、口座サーバ２０２に次の移管先口座を照会する。
（Ｓ８０２）口座サーバ２０２は、口座移管履歴テーブル２０８を検索し、口座番号「１−１−１−１」の移管先口座を取得する。次に、口座サーバ２０２は、取得した移管先口座の口座番号を照会端末２０１に返信する。ここでは、口座番号「２−１−１−１」を返信している。
（Ｓ８０３）演算手段２１０は、口座サーバ２０２に、口座番号「２−１−１−１」の移管先口座を照会する。
（Ｓ８０４）口座サーバ２０２は、口座移管履歴テーブル２０８を検索し、口座番号「２−１−１−１」の移管先口座を取得する。次に、取得した口座番号を照会端末２０１に返信する。ここでは、口座番号「３−１−１−１」を返信している。
（Ｓ８０５）演算手段２１０は、口座サーバ２０２に、口座番号「２−１−１−１」の口座情報を照会する。
（Ｓ８０６）口座サーバ２０２は、口座明細テーブル２０７を検索し、口座番号「２−１−１−１」の口座情報を取得する。次に、取得した口座情報を照会端末２０１に返信する。
（Ｓ８０７）演算手段２１０は、以上の処理の結果を、表示手段２１１に表示する。
【００１８】
図９は、図８のステップＳ８０７で表示手段２１１に表示される画面イメージを説明するものである。
口座明細テーブル２０７から取得したデータは、「口座情報」欄に表示されている。
また、「移管先口座情報」欄には、ステップＳ８０４で取得した口座番号「３−１−１−１」に関する情報が表示されている。
なお、図７において押下不可としていたボタンは、押下できるようになっている。
【００１９】
図１０は、図９の画面状態で「最終移管先」ボタンを押下した際の処理フローを説明するものである。
（Ｓ１００１）演算手段２１０は、現在明細情報を表示している口座番号「２−１−１−１」をキーにして、口座サーバ２０２に、最終移管先口座を照会する。
（Ｓ１００２）口座サーバ２０２は、口座移管履歴テーブル２０８を検索し、当該口座の最終移管先口座を取得する。なお、詳細は図１１で説明する。次に、口座サーバ２０２は、取得した最終移管先口座の口座番号を照会端末２０１に返信する。ここでは、「４−１−１−１」を返信している。
（Ｓ１００３）演算手段２１０は、口座サーバ２０２に、口座番号「４−１−１−１」の口座情報を照会する。
（Ｓ１００４）口座サーバ２０２は、口座明細テーブル２０７を検索し、口座番号「４−１−１−１」の口座情報を取得する。次に、取得した口座情報を照会端末２０１に返信する。
（Ｓ１００５）演算手段２１０は、以上の処理の結果を、表示手段２１１に表示する。
【００２０】
図１１は、図１０のステップＳ１００２における、口座サーバ２０２の処理を説明するものである。
（Ｓ１１０１）演算手段２１０より、最終移管先口座の照会があると、口座サーバ２０２は口座移管履歴テーブル２０８に、次の移管先口座を照会する。
（Ｓ１１０２）口座サーバ２０２は、次の移管先口座の口座番号を取得する。
（Ｓ１１０３）口座サーバ２０２は、ステップＳ１１０２で取得した口座番号が「ＮＵＬＬ」であるか否かを判断する。ＮＵＬＬであれば、当該口座が最終移管先口座であるとみなしてステップＳ１１０４に進み、ＮＵＬＬでなければ、さらに次の移管先口座があるとみなしてステップＳ１１０１からの処理を繰り返す。
（Ｓ１１０４）口座サーバ２０２は、最終移管先口座の口座番号を照会端末２０１に返信する。ここでは、「４−１−１−１」を返信している。
【００２１】
図１２は、図１０のステップＳ１００５で表示手段２１１に表示される画面イメージを説明するものである。
口座明細テーブル２０７から取得したデータは、「口座情報」欄に表示されている。
また、最終移管先口座を表示中であるため、「移管先口座情報」欄は存在しない。
なお、最終移管先口座を表示中であるため、「次移管先」ボタンと「最終移管先」ボタンは押下不可としている。
【００２２】
図１３は、図１２の画面状態で「移管元」ボタンを押下した際の処理フローを説明するものである。
（Ｓ１３０１）演算手段２１０は、現在明細情報を表示している口座番号「４−１−１−１」をキーにして、口座サーバ２０２に、最初の移管元口座を照会する。
（Ｓ１３０２）口座サーバ２０２は、口座移管履歴テーブル２０８を検索し、当該口座の最初の移管元口座を取得する。なお、詳細は図１４で説明する。次に、口座サーバ２０２は、取得した最初の移管元口座の口座番号を照会端末２０１に返信する。ここでは、「１−１−１−１」を返信している。
（Ｓ１３０３）演算手段２１０は、口座サーバ２０２に、口座番号「１−１−１−１」の口座情報を照会する。
（Ｓ１３０４）口座サーバ２０２は、口座明細テーブル２０７を検索し、口座番号「１−１−１−１」の口座情報を取得する。次に、取得した口座情報を照会端末２０１に返信する。
（Ｓ１３０５）演算手段２１０は、以上の処理の結果を、表示手段２１１に表示する。
【００２３】
図１４は、図１３のステップＳ１３０２における、口座サーバ２０２の処理を説明するものである。
（Ｓ１４０１）演算手段２１０より、最初の移管元口座の照会があると、口座サーバ２０２は口座移管履歴テーブル２０８に、１つ前の移管元口座を照会する。
（Ｓ１４０２）口座サーバ２０２は、１つ前の移管元口座の口座番号を取得する。
（Ｓ１４０３）口座サーバ２０２は、ステップＳ１４０２で取得した口座番号が「ＮＵＬＬ」であるか否かを判断する。ＮＵＬＬであれば、当該口座が最初の移管元口座であるとみなしてステップＳ１４０４に進み、ＮＵＬＬでなければ、さらに前の移管元口座があるとみなしてステップＳ１４０１からの処理を繰り返す。
（Ｓ１４０４）口座サーバ２０２は、最初の移管元口座の口座番号を照会端末２０１に返信する。ここでは、「１−１−１−１」を返信している。
【００２４】
照会端末２０１は、以上述べてきた処理を実行するプログラムを、記憶手段２１３に格納し、演算手段２１０が当該プログラムの指示にしたがって動作するように構成することにより実現できる。
なお、「元口座」が押下された場合は、記憶部から取得した元口座情報により、Ｓ６０２以降と同様な処理を行う。
【００２５】
以上のように、本実施の形態１に係る移管先口座情報照会システムによれば、
顧客の口座情報を、演算手段がサーバに照会する第１の照会ステップと、
前記サーバが、サーバ記憶手段が格納している前記口座情報を、前記演算手段に返信するステップと、
前記口座情報を、前記演算手段が画面表示する第１の画面表示ステップと、
当該口座の移管先口座を特定する移管先口座情報を、前記演算手段が前記サーバに照会する第２の照会ステップと、
前記移管先口座情報を、前記サーバが前記演算手段に返信するステップと、
前記移管先口座情報を、移管元もしくは次の移管先口座を前記サーバに照会する第３の照会ステップを前記演算手段に実行させるためのボタンとともに、前記演算手段が画面表示する第２の画面表示ステップとを有することとしたので、
照会端末２０１のオペレータは、ボタン押下により移管元口座や移管先口座を照会することができ、端末操作回数が減少する。
【００２６】
また、前記サーバ記憶手段は、口座移管履歴情報を格納しており、
前記第２の画面表示ステップにおいては、
前記第１の照会ステップで照会した口座の移管元口座を前記サーバに照会するステップを前記演算手段に実行させるための移管元ボタンと、
前記第１の照会ステップで照会した口座の次の移管先口座を前記サーバに照会するステップを前記演算手段に実行させるための次移管先ボタンと、
前記第１の照会ステップで照会した口座の最終移管先口座を前記サーバに照会するステップを前記演算手段に実行させるための最終移管先ボタンと、
前記第１の照会ステップで照会した口座を再度前記サーバに照会するステップを前記演算手段に実行させるための元口座ボタンを、前記演算手段が画面表示することとしたので、
照会端末２０１のオペレータは、ボタン押下により、移管先口座を順に辿ることや、最終移管先口座や最初の移管元口座を即座に参照することができるので、照会時間が短縮でき、顧客の待ち時間を短縮できる。
【００２７】
また、前記移管元ボタンが押下され、前記演算手段が前記第１の照会ステップで照会した口座の移管元口座を前記サーバに照会するステップを実行した際には、
前記サーバは、
最初の移管元の口座に達するまで、移管前の口座情報を取得するステップを繰り返し実行し、
最初の移管元の口座に達すると、当該口座情報を前記演算手段に返信することとしたので、
最初の移管元口座を取得する処理を口座サーバ２０２に委譲でき、照会端末２０１を軽量に実装することができる。
【００２８】
また、前記最終移管先ボタンが押下され、前記演算手段が前記第１の照会ステップで照会した口座の最終移管先口座を前記サーバに照会するステップを実行した際には、
前記サーバは、
最終移管先の口座に達するまで、移管後の口座情報を取得するステップを繰り返し実行し、
最終移管先の口座に達すると、当該口座情報を前記演算手段に返信することとしたので、
最終移管先口座を取得する処理を口座サーバ２０２に委譲でき、照会端末２０１を軽量に実装することができる。
【００２９】
また、記憶手段２１３に口座情報を照会するプログラムを格納し、照会端末２０１を構成したので、
専用端末を開発しなくとも、一般のコンピュータを用いて照会端末２０１の機能を実現することができる。
【００３０】
また、照会端末２０１と口座サーバ２０２はネットワークにより接続されているので、
口座サーバ２０２と地理的に離れた場所にある照会端末２０１からでも、口座情報を照会することができる。
【００３１】
実施の形態２．
本発明の実施の形態２に係る移管先口座情報照会システムは、「移管履歴」ボタンを設け、口座移管履歴を一覧表示できるようにしたものである。
なお、全体構成図は実施の形態１の図１と同様であるため、説明を省略する。
【００３２】
図１５は、照会端末２０１のオペレータが、口座番号「１−１−１−１」の口座情報を照会した際の、表示手段２１１に表示される画面イメージを示すものである。
図１５の画面イメージでは、「移管履歴」ボタンを設けている点が、図７の画面イメージとは異なる。図１５においては、「移管履歴」より移管先の口座情報を参照できるため、「移管先口座情報」の欄は設けていない。
また、図７と同様に、「移管元」ボタンと「元口座」ボタンは押下不可となっている。
【００３３】
図１６は、図１５の「移管履歴」ボタン押下後の「移管履歴画面」のイメージを示すものである。
「移管履歴画面」は、照会中の口座の前後全ての移管履歴を表示するものである。照会端末２０１のオペレータは、図１６の「照会」ボタンを押下して、任意の口座情報を参照することができる。「照会」ボタン押下時の処理は、図６と同様である。
このような移管履歴画面を設けることで、移管履歴が多数存在する場合に、履歴の中央付近の口座情報を参照するようなときは、少ない操作で当該口座情報を参照することができ、オペレータにとって便宜である。
【００３４】
図１７は、演算手段２１０が表示手段２１１に図１６の画面を表示する際のフローを説明するものである。なお、口座サーバ２０２の図示は省略している。
（Ｓ１７０１）演算手段２１０は、口座サーバ２０２に、次の移管先口座の口座番号を照会する。
（Ｓ１７０２）口座サーバ２０２は、口座移管履歴テーブル２０８を検索して、次の移管先口座の口座番号を取得する。次に、口座サーバ２０２は、照会端末２０１に取得した口座番号を返信する。
（Ｓ１７０３）演算手段２１０は、ステップＳ１７０２で取得した口座番号が「ＮＵＬＬ」であるか否かを判断する。ＮＵＬＬであれば、当該口座が最終移管先口座であるとみなしてステップＳ１７０４に進み、ＮＵＬＬでなければ、さらに次の移管先口座があるとみなしてステップＳ１７０１からの処理を繰り返す。
（Ｓ１７０４）演算手段２１０は、口座サーバ２０２に、１つ前の移管元口座の口座番号を照会する。
（Ｓ１７０５）口座サーバ２０２は、口座移管履歴テーブル２０８を検索して、移管元口座の口座番号を取得する。次に、口座サーバ２０２は、照会端末２０１に取得した口座番号を返信する。
（Ｓ１７０６）演算手段２１０は、ステップＳ１７０２で取得した口座番号が「ＮＵＬＬ」であるか否かを判断する。ＮＵＬＬであれば、当該口座が最初の移管元口座であるとみなしてステップＳ１７０７に進み、ＮＵＬＬでなければ、さらに前の移管元口座があるとみなしてステップＳ１７０４からの処理を繰り返す。
（Ｓ１７０７）演算手段２１０は、以上の処理の結果を、表示手段２１１に表示する。
【００３５】
図１８は、図１５の画面の別の構成例を示すものである。
照会端末２０１のオペレータは、図１６に示す移管履歴画面より、移管前後の全ての口座情報を参照できるので、図１８に示すように「移管先」ボタン等を省略しても、実質的な不都合はない。
【００３６】
以上のように、本実施の形態２に係る移管先口座情報照会システムによれば、
前記第２の画面表示ステップにおいては、
前記第１の照会ステップで照会した口座の前記移管履歴情報を前記サーバに照会するステップを前記演算手段に実行させるための移管履歴ボタンを、前記演算手段が画面表示することとしたので、
照会端末２０１のオペレータは、移管履歴情報を一覧表示することができ、目的の口座を容易に参照できる。
【００３７】
また、前記移管履歴ボタンが押下された際には、
前記演算手段は、
前記第１の照会ステップで照会した口座の移管前の口座情報を前記サーバに照会するステップを、最初の移管元の口座に達するまで実行し、
前記第１の照会ステップで照会した口座の移管後の口座情報を前記サーバに照会するステップを、最終移管先の口座に達するまで実行することとしたので、
照会端末２０１のオペレータは、移管履歴情報より口座情報を参照する際には、口座番号等を改めて入力することなく、ボタン押下のみで参照することができる。
【００３８】
実施の形態３．
図１９は、本発明の実施の形態３に係る移管先口座情報照会システムの全体構成図である。本実施の形態３に係る移管先口座情報照会システムは、システム全体をＷｅｂシステムとして構成したものである。
照会端末２０１は、コンピュータで実現している。
口座サーバ２０５は、Ｗｅｂサーバの機能を兼ねており、照会端末２０１からの照会リクエストを最初に受け付ける。
ＤＢサーバ２０６は、記憶手段２０３を有する。
その他の構成は、実施の形態１の図１と同様であるため、説明を省略する。
【００３９】
図２０は、照会端末２０１が口座サーバ２０２に口座情報を照会する際の基本的なシーケンスを説明するものである。
（Ｓ２００１）照会端末２０１のオペレータは、照会する口座の「店舗番号」「科目（普通／当座等）」「口座番号」を、入力手段入力２１２を用いて入力する。また、必要に応じて「枝番」も入力する。
演算手段２１０は、口座サーバ２０２に、入力された口座の情報を照会する。
（Ｓ２００２）口座サーバ２０２は、演算手段２１０が照会する口座に該当する口座情報を、ＤＢサーバ２０６に照会する。
（Ｓ２００３）ＤＢサーバ２０６は、口座明細テーブル２０７より口座情報を取得し、口座サーバ２０５に返信する。口座サーバ２０５は、照会端末２０１に当該口座情報を返信する。
（Ｓ２００４）演算手段２１０は、口座サーバ２０２が返信した口座情報を、表示手段２１１に表示する。
（Ｓ２００５）照会端末２０１のオペレータは、表示手段２１１に表示されているボタンを押下して、移管元の口座や移管先の口座を照会する旨を演算手段２１０に伝える。
演算手段２１０は、口座サーバ２０２に、押下されたボタンに相当する口座の情報を照会する。
（Ｓ２００６）口座サーバ２０２は、ステップＳ２００５で押下されたボタンの種類に応じて、ＤＢサーバに該当する口座情報を照会する。
（Ｓ２００７）ＤＢサーバ２０６は、口座明細テーブル２０７及び口座移管履歴テーブル２０８を検索し、該当する口座情報を取得する。次に、口座サーバ２０５は、照会端末２０１に当該口座情報を返信する。
（Ｓ２００８）演算手段２１０は、口座サーバ２０２が返信した口座情報を、表示手段２１１に表示する。
【００４０】
口座サーバ２０５の処理内容は、実施の形態１や実施の形態２に係る移管先口座情報照会システムと同様であるが、口座明細テーブル２０７と口座移管履歴テーブル２０８に口座情報を照会する処理については、ＤＢサーバ２０６に照会するように構成する点が実施の形態１や実施の形態２と異なっている。
また、移管履歴画面を表示する際の、図１７に該当する処理フローについては、図１７のように移管履歴を１件ずつ逐次取得してもよいが、全移管履歴をＤＢサーバ２０６より一括で取得するように構成したほうが、ＤＢサーバ２０６の負荷を軽減できる。
【００４１】
以上のように、本実施の形態３に係る移管先口座情報照会システムによれば、システム全体をＷｅｂシステムとして構成したので、画面表示処理／口座情報照会ロジック／データ格納及び参照の３階層にシステムの機能を分離でき、柔軟な構成変更やバージョンアップ等が可能となる。
【図面の簡単な説明】
【００４２】
【図１】実施の形態１に係る移管先口座情報照会システムの全体構成図である。
【図２】口座情報を照会する際の基本的なシーケンスを説明するものである。
【図３】図２のステップ（１）における画面イメージを示すものである。
【図４】口座明細テーブル２０７の構成及びデータ例を説明するものである。
【図５】口座移管履歴テーブル２０８の構成及びデータ例を説明するものである。
【図６】図２のステップ（１）〜ステップ（３）の詳細処理を説明するものである。
【図７】図６のステップＳ６０６における画面イメージを説明するものである。
【図８】「次移管先」ボタンを押下した際の処理フローを説明するものである。
【図９】図８のステップＳ８０７における画面イメージを説明するものである。
【図１０】「最終移管先」ボタンを押下した際の処理フローを説明するものである。
【図１１】ステップＳ１００２における処理を説明するものである。
【図１２】ステップＳ１００５における画面イメージを説明するものである。
【図１３】「移管元」ボタンを押下した際の処理フローを説明するものである。
【図１４】ステップＳ１３０２における処理を説明するものである。
【図１５】口座情報を照会した際の画面イメージを示すものである。
【図１６】「移管履歴画面」のイメージを示すものである。
【図１７】図１６の画面を表示する際のフローを説明するものである。
【図１８】図１５の画面の別の構成例を示すものである。
【図１９】実施の形態３に係る移管先口座情報照会システムの全体構成図である。
【図２０】口座情報を照会する際の基本的なシーケンスを説明するものである。
【符号の説明】
【００４３】
２０１  照会端末、２０２  口座サーバ、２０３  記憶手段、２０４  ネットワーク、２０５  口座サーバ、２０６  ＤＢサーバ、２０７  口座明細テーブル、２０８  口座移管履歴テーブル、２１０  演算手段、２１１  表示手段、２１２  入力手段、２１３  記憶手段。
【図１】
2007249282.tif 000003
【図２】
2007249282.tif 000004
【図３】
2007249282.tif 000005
【図４】
2007249282.tif 000006
【図５】
2007249282.tif 000007
【図６】
2007249282.tif 000008
【図７】
2007249282.tif 000009
【図８】
2007249282.tif 000010
【図９】
2007249282.tif 000011
【図１０】
2007249282.tif 000012
【図１１】
2007249282.tif 000013
【図１２】
2007249282.tif 000014
【図１３】
2007249282.tif 000015
【図１４】
2007249282.tif 000016
【図１５】
2007249282.tif 000017
【図１６】
2007249282.tif 000018
【図１７】
2007249282.tif 000019
【図１８】
2007249282.tif 000020
【図１９】
2007249282.tif 000021
【図２０】
2007249282.tif 000022